(57)【要約】      （修正有）【課題】カメラを外部の衝撃から保護することができながらも携帯性に優れ、容易にカメラを取り出すことができる構造を有するカメラホルダーの製造方法を提供する。【解決手段】平らな熱可塑性プラスチック板の少なくとも片面にコーティング材を積層してホルダー本体用シートを形成する段階と、前記ホルダー本体用シートに含まれたプラスチック板が熱変形することができるよう前記ホルダー本体用シートを加熱する段階と、折曲面または湾曲面を有する外金型と、折曲面または湾曲面を有する内金型との間に加熱された前記ホルダー本体用シートを介在して前記ホルダー本体用シートの少なくとも一部区間に前記カメラを取り囲む折曲部または湾曲部を形成する段階と、前記ホルダー本体用シートを冷却した後、前記外金型及び前記内金型から脱去する段階とを含む。【選択図】図９
2015022302.tif 000002
【特許請求の範囲】
【請求項１】
カメラの少なくとも一部を取り囲みながら、前記カメラを収納するカメラホルダーの製造方法において、
平らな熱可塑性プラスチック板の少なくとも片面にコーティング材を積層してホルダー本体用シートを形成する段階（Ｓ１０）と、
前記ホルダー本体用シートに含まれたプラスチック板が熱変形することができるように、前記ホルダー本体用シートを加熱する段階（Ｓ２０）と、
折曲面または湾曲面を有する外金型と、折曲面または湾曲面を有する内金型との間に加熱された前記ホルダー本体用シートを介在して前記ホルダー本体用シートの少なくとも一部区間に前記カメラを取り囲む折曲部または湾曲部を形成する段階（Ｓ３０）と、
前記ホルダー本体用シートを冷却した後、前記外金型及び前記内金型から脱去する段階（Ｓ４０）とを含むカメラホルダーの製造方法。
【請求項２】
前記Ｓ３０段階によって前記ホルダー本体用シートは、前記カメラの上面、下面及び側面を取り囲む形状を有するように変形され、この変形されたホルダー本体用シートが前記カメラの上面、下面、及び側面を取り囲むホルダー本体になることを特徴とする、請求項１に記載のカメラホルダーの製造方法。
【請求項３】
前記ホルダー本体用シートは、少なくとも互いに別個のシートである第１ホルダー本体用シートと第２ホルダー本体用シートを含み、
変形された前記第１ホルダー本体用シートと第２ホルダー本体用シートを結合することにより、前記カメラの上面、下面及び側面を取り囲むカメラホルダー本体を形成する段階（Ｓ５０）をさらに含むことを特徴とする、請求項１に記載のカメラホルダーの製造方法。
【請求項４】
前記Ｓ３０段階によって前記第１ホルダー本体用シートは、前記カメラの下面及び側面を取り囲む形状を有するように変形され、前記第２ホルダー本体用シートは、前記カメラの上面を取り囲む形状を有するように変形されることを特徴とする、請求項３に記載のカメラホルダーの製造方法。
【請求項５】
変形された前記第１ホルダー本体用シートと第２ホルダー本体用シートは、前記Ｓ５０段階において接着剤またはリベットによって結合されることを特徴とする、請求項４に記載のカメラホルダーの製造方法。
【請求項６】
前記第１ホルダー本体用シートに備えられた前記熱可塑性プラスチック板の厚さは２．０ｍｍ〜２．８ｍｍであり、前記第２ホルダー本体用シートに備えられた前記熱可塑性プラスチック板の厚さは０．１ｍｍ〜１．２ｍｍであることを特徴とする、請求項４に記載のカメラホルダーの製造方法。
【請求項７】
前記ホルダー本体用シートにおいて、前記コーティング材は前記熱可塑性プラスチック板よりさらに広い面積を有し、
前記ホルダー本体用シートは、前記熱可塑性プラスチック板と前記コーティング材が積層された領域である積層領域と、前記熱可塑性プラスチック板が存在しない領域であるコーティング材領域とに区分されることを特徴とする、請求項１乃至５のいずれか一項に記載のカメラホルダーの製造方法。
【請求項８】
前記ホルダー本体は、前記ホルダー本体の形状を維持することができる剛性を有する本体フレーム部と、前記本体フレーム部から延長され、前記カメラの収納及び脱去の容易性のため柔軟に変形可能な可変部とを有することを特徴とする、請求項７に記載のカメラホルダーの製造方法。
【請求項９】
前記ホルダー本体の前記本体フレーム部は前記積層領域からなり、
前記ホルダー本体の前記可変部は前記コーティング材領域からなることを特徴とする、請求項８に記載のカメラホルダーの製造方法。
【請求項１０】
前記ホルダー本体用シートの全領域は、前記熱可塑性プラスチック板と前記コーティング材が積層された領域である積層領域からなることを特徴とする、請求項１乃至５のいずれか一項に記載のカメラホルダーの製造方法。
【請求項１１】
前記ホルダー本体は、
前記カメラの下面及び側面を支持するカメラトレイと、
前記カメラトレイから延長されてレンズを取り囲んでおり、一端を前記カメラトレイに選択的に着脱することができるレンズカバーとを有することを特徴とする、請求項１乃至５のいずれか一項に記載のカメラホルダーの製造方法。
【請求項１２】
前記Ｓ１０段階は、裁縫及び接着のうち少なくともいずれか一つによって行われることを特徴とする、請求項１に記載のカメラホルダーの製造方法。
【請求項１３】
前記外金型及び前記内金型は、一側が開放されたことを特徴とする、請求項１に記載のカメラホルダーの製造方法。
【請求項１４】
前記Ｓ２０段階において、前記熱可塑性プラスチック板が８５℃〜１００℃になるまで前記ホルダー本体用シートを加熱することを特徴とする、請求項１に記載のカメラホルダーの製造方法。
【請求項１５】
前記外金型及び前記内金型は、金属材質からなることを特徴とする、請求項１に記載のカメラホルダーの製造方法。
【請求項１６】
前記コーティング材は天然皮革、人工皮革、耐熱性織布、または耐熱性不織布であることを特徴とする、請求項１に記載のカメラホルダーの製造方法。
【請求項１７】
前記カメラトレイのうちレンズの両側面を支持する部位の間には、両者を繋げる落下防止シートが設けられていることを特徴とする、請求項１１に記載のカメラホルダーの製造方法。
【発明の詳細な説明】
【技術分野】
【０００１】
本発明は、カメラホルダーの製造方法に関し、より詳しくは、カメラを外部の衝撃から保護することができながらも携帯性に優れており、容易にカメラを取り出すことができる構造を有するカメラホルダーを製造するのに適合したカメラホルダーの製造方法に関する。
【背景技術】
【０００２】
一般に専門写真作家がよく使うＤＳＬＲカメラまたはＳＬＲカメラは、カメラボディと、様々な特性を有するレンズ、そして、たまにはレンズフードで構成される。
通常、前記のような構成品からなるカメラは、カメラケースに収納するか、カメラホルダーなどにかけた状態で携帯することになる。
【０００３】
しかし、大きいレンズ及びレンズフードなどが組み立てられたカメラをカメラケースに入れるためには、嵩の大きいカメラケースを使わなければならないが、これは携帯するには不便であるという問題点がある。もし、嵩の大きいカメラケースの代わりに嵩の小さいカメラケースを使用する場合には、レンズやレンズフードをボディから分離させてカメラケースに入れて保管しなければならないため、カメラを使う度に再度組み立てなければならない不便さがある。
【０００４】
それだけでなく、現在販売されているプロ(professional)用のカメラホルダーは、速やかに撮影しなければならない状況(例えば、記者会見、市民集会、結婚式などの行事など)を考慮し、カメラ全体が外部に完全に露出される構造からなっているため、カメラが容易に破損する可能性があり、軽いカメラに使うには構成品が重すぎるため、効用性が落ちる問題点があった。
【０００５】
このため、本発明の出願人は前記のような問題を解決するのに適合した構造を有するカメラホルダーに関する実用新案登録出願をし、実用新案登録を受けている。(特許文献１参照)。
【０００６】
一方、本出願人の前記登録実用新案によるカメラホルダーを作るためには、カメラの荷重を支持するための構成である折り曲げられた支持フレームを形成し、折り曲げられた支持フレームの外部を外皮で取り囲む作業をしなければならないが、折り曲げられた支持フレームは立体的な形状を有しているため、折り曲げられた支持フレームを外皮で綺麗に被覆する作業が非常に困難である。
【０００７】
また、外皮を折り曲げられた支持フレームに被覆して固定させるための方法として裁縫を利用することは過度に精巧な手作業を必要とするため、生産性が非常に悪く、精密な作業も難しいだけでなく、カメラホルダーの生産コストが大きく上昇する原因となっている。
【先行技術文献】
【特許文献】
【０００８】
【特許文献１】韓国登録実用新案第２０−０４６７６９４号公報
【発明の概要】
【発明が解決しようとする課題】
【０００９】
本発明は、前述した問題点を解決するために着想されたものであり、カメラホルダーの生産性を高め、個当りの生産コストを大きく下げることができるカメラホルダーの製造方法を提供することを目的とする。
【００１０】
本発明の他の目的は、カメラホルダーの製造において高度に熟練した作業者でなくても容易にカメラホルダーを製造することができるようにすることにある。
【課題を解決するための手段】
【００１１】
前記のような目的を達成するために、本発明の好ましい実施例によるカメラホルダーの製造方法は、平らな熱可塑性プラスチック板の少なくとも片面にコーティング材を積層してホルダー本体用シートを形成する段階Ｓ１０と、前記ホルダー本体用シートに含まれたプラスチック板が熱変形することができるように前記ホルダー本体用シートを加熱する段階Ｓ２０と、折曲面または湾曲面を有する外金型と折曲面または湾曲面を有する内金型との間に加熱された前記ホルダー本体用シートを介在して前記ホルダー本体用シートの少なくとも一部の区間に前記カメラを取り囲む折曲部または湾曲部を形成する段階Ｓ３０と、前記ホルダー本体用シートを冷却した後、前記外金型及び前記内金型から脱去する段階Ｓ４０とを含むことができる。
【００１２】
また、前記Ｓ３０段階により、前記ホルダー本体用シートは前記カメラの上面、下面及び側面を取り囲む形状を有するように変形され、この変形されたホルダー本体用シートが前記カメラの上面、下面、及び側面を取り囲むホルダー本体に成り得る。
【００１３】
また、前記ホルダー本体用シートは、少なくとも互いに別個のシートである第１ホルダー本体用シートと第２ホルダー本体用シートを含み、前記カメラホルダーの製造方法は、変形された前記第１ホルダー本体用シートと第２ホルダー本体用シートを結合することにより、前記カメラの上面、下面及び側面を取り囲むカメラホルダー本体を形成する段階Ｓ５０をさらに含むことができる。
【００１４】
また、前記Ｓ３０段階により、前記第１ホルダー本体用シートは前記カメラの下面及び側面を取り囲む形状を有するように変形され、前記第2ホルダー本体用シートは前記カメラの上面を取り囲む形状を有するように変形され得る。
【００１５】
また、変換された前記第１ホルダー本体用シートと第２ホルダー本体用シートは、前記Ｓ５０段階において接着剤またはリベットによって結合され得る。
【００１６】
また、前記第1ホルダー本体用シートに備えられた前記熱可塑性プラスチック板の厚さは２．０ｍｍ〜２．８ｍｍであり、前記第２ホルダー本体用シートに備えられた前記熱可塑性プラスチック板の厚さは０．１ｍｍ〜１．２ｍｍであり得る。
【００１７】
また、前記ホルダー本体用シートにおいて、前記コーティング材は前記熱可塑性プラスチック板よりさらに広い面積を有し、前記ホルダー本体用シートは前記熱可塑性プラスチック板及び前記コーティング材が積層された領域である積層領域と、前記熱可塑性プラスチック板が存在しない領域であるコーティング材領域とに区分され得る。
【００１８】
また、前記ホルダー本体は、前記ホルダー本体の形状を維持することができる剛性を有する本体フレーム部と、前記本体フレーム部から延長されて前記カメラの収納及び脱去の容易性のために柔軟に変形され得る可変部とを有することができる。
【００１９】
また、前記ホルダー本体の前記本体フレーム部は前記積層領域からなり、前記ホルダー本体の前記可変部は前記コーティング材領域からなり得る。
【００２０】
また、前記ホルダー本体用シートの全領域は、前記熱可塑性プラスチック板及び前記コーティング材が積層された領域である積層領域からなり得る。
【００２１】
また、前記ホルダー本体は、前記カメラの下面及び側面を支持するカメラトレイと、前記カメラトレイから延長されてレンズを取り囲んでおり、一端を前記カメラトレイに選択的に着脱することができるレンズカバーとを有することができる。
【００２２】
また、前記Ｓ１０段階は、裁縫及び接着のうち少なくともいずれか一つによって行うことができる。
【００２３】
また、前記外金型及び前記内金型は一側が開放され得る。
【００２４】
また、前記Ｓ２０段階において、前記熱可塑性プラスチック板が８５℃〜１００℃になるまで前記ホルダー本体用シートを加熱することができる。
【００２５】
また、前記外金型及び前記内金型は金属材質から形成され得る。
【００２６】
また、前記コーティング材は天然皮革、人工皮革、耐熱性織布、または耐熱性不織布であり得る。
【００２７】
また、前記カメラトレイのうちレンズの両側面を支持する部位の間には、両者を繋ぐ落下防止シートが設置され得る。
【発明の効果】
【００２８】
本発明によると、カメラホルダーの生産性を高め、個当りの生産コストを大幅に下げることができるカメラホルダーの製造方法を提供することができる。
また、高度に熟練した作業者でなくても容易にカメラホルダーを製造することができる。
【図面の簡単な説明】
【００２９】
【図１】カメラホルダーを正面から眺めた斜視図である。
【図２】カメラホルダーを左側面から眺めた斜視図である。
【図３】カメラホルダーの正面図である。
【図４】熱可塑性プラスチック板の平面図である。
【図５】ホルダー本体用シートの断面図である。
【図６】ホルダー本体用シートの平面図である。
【図７】外金型及び内金型が分離された状態を示した図である。
【図８】内金型が外金型に結合された状態を示した図である。
【図９】図７に示された内金型にホルダー本体用シートを巻いた状態を示した図である。
【図１０】図８に示された内金型にホルダー本体用シートを巻いた状態で外金型と結合した状態を示した図である。
【図１１】ホルダー本体用シートで製造したホルダー本体の斜視図である。
【図１２】積層領域とコーティング材領域とに区分されたホルダー本体用シートの平面図である。
【図１３】ホルダー本体の変形例の斜視図である。
【図１４】ホルダー本体用シートの変形例である。
【図１５】外金型及び内金型を利用し、図１４のホルダー本体用シートを変形した状態を示した斜視図である。
【発明を実施するための形態】
【００３０】
以下、図を参照し、本発明の好ましい実施例によるカメラホルダーの製造方法に対して詳しく説明する。なお、本明細書に添付される図１〜図１５は、本発明の好ましい実施例を例示するものであり、前述した発明の詳細な説明と共に本発明の技術思想をさらに理解させる役割をするものであるため、本発明はそのような図に記載された事項にのみ限定されて解釈されてはならない。
【００３１】
本明細書及び請求の範囲に使用された用語や単語は一般的且つ辞典的な意味に限定して解釈されてはならず、発明者は彼自身の発明を最も最善の方法で説明するために用語の概念を適切に定義することができるという原則に基づき、本発明の技術的思想に符合する意味と概念に解釈されなければならない。従って、本明細書に記載された実施例と図面に示された構成は、本発明の最も好ましい一実施例に過ぎず、本発明の技術的思想を全て代弁するものではないため、本出願時点においてこれを代替することができる様々な均等物と変形例があり得ることを理解しなければならない。
【００３２】
図面では、各構成要素またはその構成要素になる特定部分の大きさは、説明の便宜及び明確性のために誇張されたり省略されたり、または概略的に示された。従って、各構成要素の大きさは実際の大きさを全的に反映するものではない。関連される公知機能もしくは構成に対する具体的な説明が本発明の要旨を不要に濁らせると判断される場合、そのような説明は省略する。
【００３３】
図１はカメラホルダーを正面から眺めた斜視図であり、図２はカメラホルダーを左側面から眺めた斜視図であり、図３はカメラホルダーの正面図である。
【００３４】
図１ないし図３に示されるカメラホルダー１００は、以後に説明する本発明に係るカメラホルダーの製造方法によって製造される製品であって、カメラホルダーの製造方法より先に説明する。
【００３５】
カメラホルダー１００は、カメラ１を取り囲んで収納するホルダー本体２０と、カメラ１がホルダー本体２０から離脱することを防止するための安全ベルト２とを備える。
【００３６】
ホルダー本体２０は、カメラトレイ２３とレンズカバー２５とを有し、ここでカメラトレイ２３は、カメラ１の下面と側面を取り囲みながら支持し、レンズカバー２５はカメラトレイ２３から延長されてレンズを取り囲む。
【００３７】
レンズカバー２５の一端には貫通孔が形成され、カメラトレイ２３のうちレンズの側面を支持する部分には固定突起２６が形成され、貫通孔と固定突起２６との締結が可能であり、レンズカバー２５の一端をカメラトレイ２３に選択的に脱着することができる。
【００３８】
また、安全ベルト２の一端にも貫通孔が形成され、レンズカバー２５の一端には固定突起３が形成され、貫通孔と固定突起３との締結が可能であり、安全ベルト２の一端をレンズカバー２５の一端に選択的に脱着することができる。
【００３９】
但し、固定突起３、２６と貫通孔とは、安全ベルト２とレンズカバー２５との例示的な締結構造であり、その他、ベルクロ、磁石、ワンタッチボタンなどを利用した多様な締結構造が使用され得るのは勿論である。
【００４０】
また、カメラホルダー１００には、ショルダーストラップまたはウエストストラップなどを締結するための環が設けられ得る。
【００４１】
以下においては、本発明の好ましい実施例によるカメラホルダーの製造方法に対して説明する。
【００４２】
まず、図４に示された平らな熱可塑性プラスチック板１１を備え、図５に示されたように平らな熱可塑性プラスチック板１１の両面にコーティング材１５を積層してホルダー本体用シート１０を形成する段階Ｓ１０を行う。Ｓ１０段階において熱可塑性プラスチック板１１の片面のみにコーティング材１５を積層することもできるが、両面にコーティング材１５を積層することがカメラホルダー１００の外観側面及びカメラ１の保護側面において有利である。ここで、コーティング材１５としては天然皮革、人工皮革、耐熱性織布、または耐熱性不織布をはじめとする多様な材質が使用され得るが、約１００℃以下で容易に溶けたり、変形されたり、燃焼する材質はコーティング材１５として好ましくない。
【００４３】
熱可塑性プラスチック板１１とコーティング材１５とは接着剤によって互いに付着可能であり、図６に示されたステッチ１６を介して確認できるように裁縫方式によっても付着可能であり、もちろん接着剤及び裁縫方式全てを利用することもできる。
【００４４】
Ｓ１０段階によってホルダー本体用シート１０を形成した以後には、ホルダー本体用シート１０に含まれた熱可塑性プラスチック板１１が熱変形することができるようにホルダー本体用シート１０を加熱する段階Ｓ２０を行う。Ｓ２０段階を行う場合には、火炎を直接ホルダー本体用シート１０に当接させて加熱するよりは、オーブンなどの加熱機などを利用してホルダー本体用シート１０に全体的に熱を加えるほうが好ましく、熱可塑性プラスチック板１１が８５℃〜１００℃になるまで前記ホルダー本体用シート１０を加熱するほうが良い。熱可塑性プラスチック板１１が前記温度より低いと、以降に説明するＳ３０段階においてホルダー本体用シート１０を内金型４０の外側面に取り巻くほどの塑性が発生せず、前記温度より高いと、ホルダー本体用シート１０が伸び過ぎるか垂下するため、Ｓ３０段階の実行が不便になるとのことに留意する必要がある。
【００４５】
Ｓ２０段階の以後には、外金型３０及び内金型４０を利用し、ホルダー本体用シート１０に折曲部または湾曲部を形成する段階Ｓ３０を行う。
【００４６】
図７及び図８を参照すると、外金型３０は、折曲面３２または湾曲面３４を有し、内金型４０も、折曲面４２または湾曲面４４を有する。図７は、内金型４０と外金型３０とが分離された状態であり、内金型４０を外金型３０に差し込む直前の状態を示している。
【００４７】
図８は、内金型４０を外金型３０の内部に嵌合した状態であり、内金型４０の外側面と外金型３０の内側面との間には間隔が隔てていることを確認することができる。この間隔の間に加熱された前記ホルダー本体用シート１０を介在して、ホルダー本体用シート１０の少なくとも一部区間にカメラ１を取り囲む折曲部１２または湾曲部２２を形成することになるが、この段階Ｓ３０に対しては図９及び図１０を参照し、より詳しく説明する。
【００４８】
図９に示されたように、Ｓ２０段階によって加熱されたホルダー本体用シート１０を内金型４０の外側面に取り巻いた状態で、図１０に示されたように内金型４０を外金型３０の内部に差し込んで結合する。
【００４９】
外金型３０及び内金型４０は金属材質で形成され得るが、この場合、金属の弾性を利用して内金型４０を多少つぼめた状態で外金型３０に嵌合することができるため、内金型４０と外金型３０との結合が容易なだけでなく、結合以後には内金型４０が外金型３０の内側面に向かって広がりながらホルダー本体用シート１０が内金型４０と外金型３０との間で堅く固定され得るので、ホルダー本体用シート１０を所望の形状に成形することができる。また、ホルダー本体用シート１０の成形が完了した以後は、外金型３０を多少広げた状態で内金型４０を脱去することができるので、金型の分離も容易な利点がある。一方、このように外金型３０と内金型４０との弾性を利用しやすいように外金型３０及び内金型４０は、図７及び図８に示されるように、一側が開放された略Ｕ字型を有するほうが好ましい。
【００５０】
前記Ｓ３０段階以後には、ホルダー本体用シート１０を自然冷却または強制冷却させて、外金型３０と内金型４０とからホルダー本体用シート１０を脱去する段階Ｓ４０を行う。Ｓ４０段階まで完了すると、ホルダー本体用シート１０は、図１１に示されるように、カメラ１の上面、下面及び側面を取り囲む形状を有するように変形され、この変形されたホルダー本体用シート１０が即ちカメラ１の上面、下面及び側面を取り囲むホルダー本体２０となる。
【００５１】
一方、前述した全ての段階を経て製造されたホルダー本体２０を利用し、図１ないし図３に示されたカメラホルダー１００を製造することになるが、ここでホルダー本体２０はホルダー本体用シート１０で製造され、ホルダー本体用シート１０は全領域に亘って熱可塑性プラスチック板１１が積層されているため、ホルダー本体２０はそれ自体の形状を維持することができる十分な剛性を有する。従って、カメラ１をカメラホルダー１００から取り出すため、カメラトレイ２３からレンズカバー２５の一端を脱去するのに多少力が必要である。
【００５２】
ここに、ホルダー本体用シート１０を図１２に示された構造に形成することもできる。即ち、ホルダー本体用シート１０においてコーティング材１５が熱可塑性プラスチック板１１よりさらに広い面積を有するようにし、コーティング材１５と熱可塑性プラスチック板１１とを積層すると、結局、ホルダー本体用シート１０は、熱可塑性プラスチック板１１及びコーティング材１５が共に積層された領域である積層領域Ｌと、熱可塑性プラスチック板が存在しない領域であるコーティング材領域Ｃとに区分される。
【００５３】
この場合、コーティング材領域Ｃは、図２のレンズカバー２５の一端に該当することになり、ホルダー本体２０は、機能上ホルダー本体２０の形状を維持することができる剛性を有する本体フレーム部と、本体フレーム部から延長されカメラ１の収納及び脱去の容易性のため柔軟に変形可能な可変部とに該当することになる。そして、機能によるホルダー本体２０の区分に従うとき、本体フレーム部はホルダー本体用シート１０の積層領域Ｌからなり、可変部はコーティング材領域Ｃからなることになる。従って、レンズカバー２５の一端をカメラトレイ２３から脱去するのに随分少ない力のみ必要となるため、カメラ１をカメラホルダー１００から取り出し易くなる。
【００５４】
一方、コーティング材領域Ｃがレンズカバー２５になるようホルダー本体２０を製造すると、レンズカバー２５の剛性が弱くなるしかないため、レンズカバー２５をカメラトレイ２３から脱去する過程中にレンズカバー２５が力なく垂下しながら、下手をするとカメラ１がカメラホルダー１００から落下することもあり得る。このような現象を防止するため、カメラトレイ２３のうちレンズの両側面を支持する部位を繋げる落下防止シート２６を設けるのが好ましい。
【００５５】
これまで、図６に示されたように、ホルダー本体用シート１０が単一のシートからなる場合のみを説明したが、その他にも図１４に示されているように、ホルダー本体用シート１０は複数個のシートを結合して形成することが可能であり、例えば、少なくとも第１ホルダー本体用シート１０Ａと第２ホルダー本体用シート１０Ｂとを結合して構成することができる。
【００５６】
この場合、第１ホルダー本体用シート１０Ａ及び第２ホルダー本体用シート１０Ｂに対してＳ１０、Ｓ２０、Ｓ３０段階をそれぞれ別に行い、Ｓ３０段階によって第１ホルダー本体用シート１０Ａは、カメラ１の下面及び側面を取り囲む形状を有するように変形され、第２ホルダー本体用シート１０Ｂは、カメラ１の上面を取り囲む形状を有するように変形される。このように変形されて外金型３０及び内金型４０から脱去した(即ち、Ｓ４０段階を行った)第１ホルダー本体用シート１０Ａと第２ホルダー本体用シート１０Ｂとは図１５に示す通りであり、変形された第１ホルダー本体用シート１０Ａと第２ホルダー本体用シート１０Ｂとを結合することにより、カメラ１の上面、下面及び側面を取り囲むホルダー本体２０を形成する段階Ｓ５０を行うと、ホルダー本体用シート１０が複数個の場合もホルダー本体２０を製造することができる。ここで、変形された第１ホルダー本体用シート１０Ａ及び第２ホルダー本体用シート１０Ｂは、図１５で確認することができるように、リベット２７によって結合されるか、その他にも接着剤等によって結合され得る。
【００５７】
一方、プロ用のカメラは、本体とレンズを合わせた重さが３ｋｇ以上である場合が多く、さらには６ｋｇに至る場合まであり、第１ホルダー本体用シート１０Ａはほとんどの領域がカメラトレイ２３に活用されるため、第１ホルダー本体用シート１０Ａはカメラを十分支持することができる剛性を有するのが好ましい。ここに、第１ホルダー本体用シート１０Ａに備えられた熱可塑性プラスチック板１１の厚さは２．０ｍｍ〜２．８ｍｍの範囲内で選択されるのが好ましい。その反面、第２ホルダー本体用シート１０Ｂはレンズカバー２５に用いられるため、カメラ１の形態に応じて柔軟に変形されるのが好ましい。ここに、第２ホルダー本体用シート１０Ｂに備えられた熱可塑性プラスチック板１１の厚さは、０．１ｍｍ〜１．２ｍｍの範囲内で選択されるのが好ましい。
【００５８】
前述したような本発明に係るカメラホルダーの製造方法は、平らなホルダー本体用シート１０を先ず製作した後、外金型３０及び内金型４０を利用して初めて立体的な形状のホルダー本体２０を製造するため、すでに立体的な形状を有するフレームに外被を付着する、煩わしく熟練した技術を要する作業が不要になる。従って、本発明によると、高度の熟練した作業者でなくとも容易にカメラホルダー１００を製造することができる。
【００５９】
さらに、カメラホルダー１００の生産性が高まり、個当りの生産コストを大幅に下げることができるという利点がある。
【００６０】
以上、本発明は、たとえ限定された実施例と図面によって説明したが、本発明はこれによって限定されず、本発明の属する技術分野における通常の知識を有する者によって、本発明の技術思想と特許請求の範囲の均等範囲内での多様な修正及び変形が可能であるのは勿論である。
【符号の説明】
【００６１】
１：カメラ
２：安全ベルト
３、２６：固定突起
１０：ホルダー本体用シート
１０Ａ：第１ホルダー本体用シート
１０Ｂ：第２ホルダー本体用シート
１１：熱可塑性プラスチック板
１２、２２：折曲部
１４、２４：湾曲部
１５：コーティング材
１６：ステッチ
２０：ホルダー本体
２３：カメラトレイ
２５：レンズカバー
２６：落下防止シート
２７：リベット
３０：外金型
４０：内金型
３２、４２：折曲面
３４、４４：湾曲面
１００：カメラホルダー
【図１】
2015022302.tif 000003
【図２】
2015022302.tif 000004
【図３】
2015022302.tif 000005
【図４】
2015022302.tif 000006
【図５】
2015022302.tif 000007
【図６】
2015022302.tif 000008
【図７】
2015022302.tif 000009
【図８】
2015022302.tif 000010
【図９】
2015022302.tif 000011
【図１０】
2015022302.tif 000012
【図１１】
2015022302.tif 000013
【図１２】
2015022302.tif 000014
【図１３】
2015022302.tif 000015
【図１４】
2015022302.tif 000016
【図１５】
2015022302.tif 000017